(57)【要約】【課題】交換ユニットの組み付け時の作業性を向上させる。【解決手段】交換ユニット４を構成する保持枠３６の下方にブラケット４５を、上方に係合部をそれぞれ設ける。また、据え置きユニット３を構成する本体基部５の組付け部の下部に突き当て部１５を、その上方に係止部材２５を設ける。交換ユニット４を据え置きユニット３に組み付ける場合、交換ユニット４の下部を本体基部５の組付け部の下面においた状態で、交換ユニット４の上方を据え置きユニット３側に押圧する。これにより、ブラケット４５が突き当て部１５に当接する。また、保持枠３６の後面４９が本体基部５に設けられた位置決め面１９と当接する。そして、係止部材２５と係合部とによる係合させることで、交換ユニット４が据え置きユニット３に組み付けられる。【選択図】        図１１
2005027875.tif 000002
【特許請求の範囲】
【請求項１】
遊技領域を有する部材を保持する保持部材を備えた交換部と、前記交換部が組み付けられる据え置き部とから構成し、
前記据え置き部は、前記保持部材が組み付けられる組付け部を備え、
前記組付け部は、前記保持部材と当接して、保持部材の位置決めを行う当接部を有し、
前記組付け部の下部、又は保持部材の下部のいずれか一方に突部を、他方に前記突部と係合する係合部をそれぞれ設け、
前記組付け部、又は保持部材のいずれか一方に可動部材を、他方に前記可動部材を係止する係止部をそれぞれ設けたことを特徴とする弾球遊技機。
【請求項２】
前記可動部材及び係止部と、前記突部及び係合部とは、前記組み付け部の縁部、又は保持部材の縁部において対向する位置に配置されることを特徴とする請求項１記載の弾球遊技機。
【発明の詳細な説明】
【０００１】
【発明の属する技術分野】
本発明は、パチンコ店等の遊技場に設置して使用されるパチンコ機等の弾球遊技機に関するものである。
【０００２】
【従来の技術】
遊技場に設置される弾球遊技機としてパチンコ機が挙げられる。このパチンコ機には、遊技場の所定箇所に配設するための固定枠内に設けられる本体基部の内部に遊技盤が配設されており、遊技盤の前面には開閉自在な前面扉が本体基部に設けられる。このようなパチンコ機では遊技場に設置されている状態で、且つ前面扉が施錠装置に基づいて閉じられているときには、何人もパチンコ機の内部の遊技盤や電子機器等には触れることができないようになっている。なお、遊技場の作業者がパチンコ機の内部に触れる必要があるときには、前面扉を開いて作業を行うことになる。
【０００３】
このようなパチンコ機では、新しい機種への機種替えを行う際には、固定枠毎取り外して新しい機種のパチンコ機を遊技場の所定箇所に配設している。この場合、共通化できる部分（例えばパチンコ機の基本動作を行う部分）も交換してしまうため、効率のよいコストダウンを行うことができないという問題があり、パチンコ機の基本動作を行う部分をパチンコ店等の遊技場に据え置きにし、例えば遊技領域を有する部材となる例えば遊技盤や遊技に関わる制御を行う制御回路装置等の機種に依存する部分を交換部とすることが考えられている。これにより、交換部を新しい機種に対応するものに替えるだけで、効率の良い製造、又はリサイクル及び作業等のコストダウンを行うことが可能となる。
【０００４】
しかしながら、遊技盤や新しい遊技性を行う制御装置等の交換を行う場合、前面扉は本体基部に設けられることから据え置きとなり、遊技盤交換における新しい機種への機種替えを行った場合には、見た目のデザイン性に劣ってしまい、遊技者に対して新しい機種というイメージを損ねるものとなる。このため、遊技盤、遊技領域を視認する窓部を備えた前面扉と、遊技盤及び前面扉を保持する保持枠とを１つのユニットとして交換部とすることが考案されている。これにより、新しい機種への機種替え時に前面扉の交換も行え、遊技者に新しい機種であることをアピールし、新しい機種への興趣を与えることが可能となる。
【０００５】
【発明が解決しようとする課題】
このような場合、新たな遊技機への切り換えを行う際には、古い遊技機の交換部を据え置き部となる本体基部から取り外した後に、新しい遊技機用の交換部を本体基部に組み付けることで、新しい遊技機として設置したこととなる。図１４及び図１５に示すように、前面扉９０及び遊技盤に制御回路装置が取り付けられた遊技盤ユニット９１と、これらが組み付けられた保持枠９２とからなる交換部を、据え置き部を構成する本体基部９３に組み付け固定する際には、まず本体基部９３に設けられた突起９３ａに保持枠９２の外壁側方に設けられた凹部９２ａを係合させ、上記突起９３ａと凹部９２ａとの係合を支点として保持枠９２を図１４中Ｘ方向に回動させる。
【０００６】
この際、本体基部９３に設けられた回転機能を有する操作つまみ９４が保持枠９２に設けられた開口９２ｂに挿通される。その後、挿通された操作つまみ９４を９０度回転させて、保持枠９２を本体基部９３に組み付ける。これにより、交換部を据え置き部に組み付けることが可能となる。しかしながら、交換部は、前面扉、遊技盤ユニット、及びこれら部品が組み付けられた保持枠９２から構成されているため、交換部自体の重量が重くなり、新しい機種への切り替えの際の作業性が悪く、新しい機種の交換部を本体基部９３に組み付ける際に、誤って交換部を遊技場の床に落としてしまいかねないという問題がある。
【０００７】
本発明は、作業者への負担を抑制し、容易に新たな遊技機への交換が行えるようにした遊技機を提供することを目的とする。
【０００８】
【課題を解決するための手段】
上記目的を達成するために、本発明の弾球遊技機は、遊技領域を有する部材を保持する保持部材を備えた交換部と、前記交換部が組み付けられる据え置き部とから構成し、前記据え置き部は、前記保持部材が組み付けられる組付け部を備え、前記組付け部は、前記保持部材と当接して、保持部材の位置決めを行う当接部を有し、前記組付け部の下部、又は保持部材の下部のいずれか一方に突部を、他方に前記突部と係合する係合部をそれぞれ設け、前記組付け部、又は保持部材のいずれか一方に可動部材を、他方に前記可動部材を係止する係止部をそれぞれ設けたものである。
【０００９】
なお、遊技領域を有する部材とは、障害釘や風車等の他に、入賞口等の構造物が矩形状の板の表面に設けられ、その構造物が設けられる領域の外側に金属製のレールを板に配置することで、このレールの内側を遊技媒体の移動範囲とする遊技領域とする遊技盤の他に、この遊技盤と、球通路を有する支持体が一体となる遊技盤ユニット、若しくは発射装置にて発射された遊技媒体を案内する案内通路を含んで遊技領域を区画するレールとが一体成形された遊技領域規制枠、遊技盤、球通路を有する支持体とが一体のユニットから構成された遊技盤ユニット等が挙げられる。また、前記支持体に対し、遊技に関わる制御を行う制御回路装置を組み付けてなる遊技盤ユニットも含むものとする。
【００１０】
また、前記可動部材及び係止部と、前記突部及び係合部とは、前記組み付け部の縁部、又は保持部材の縁部において対向する位置に配置されることが好ましい。
【００１１】
【発明の実施の形態】
図１及び図２に示すように、本発明のパチンコ機２は、据え置きユニット（据え置き部）３及び交換ユニット（交換部）４から構成されている。据え置きユニット３は、交換ユニット４を交換することで新機種へ切り替える、所謂面替えを行う場合に、パチンコ店等の遊技場に据え置きとなるユニットである。この据え置きユニット３は、交換ユニット４が組み付けられる組付け部５ａを有する本体基部５と、この本体基部５を回動自在に保持する固定枠６とから構成される。
【００１２】
本体基部５は、パチンコ機２の基体となる部品である。この本体基部５には、図示はしないが、例えばパチンコ球の払い出しを行う払出し装置や、遊技中の演出を行うスピーカ等の音声装置や、ランプ等の発光装置等のパチンコ機の基本動作を行う装置が組み付けられる。本体基部５は、パチンコ店等の遊技場の所定位置に固定される固定枠６に対して回動自在に組み付けられ、ている。この本体基部５の組付け部５ａの下方には、下扉７が本体基部５に対し回動自在に組み付けられる。下扉７は、遊技球を受容する受け皿８や、遊技領域４０に向けて遊技球を打ち出す発射装置の打ち出し強さを調整する操作ハンドル９が設けられている。なお、下扉７や操作ハンドル９は、本体基部５に組み付けられていても、交換ユニット４に組み付けられていてもよいものとする。
【００１３】
図３に示すように、本体基部５は、交換ユニット３が組み付けられる空間となる組付け部５ａを備えている。この組付け部５ａの下部には、２箇所の被押圧面（係合部）１５，１６が設けられており、据え置きユニット３に交換ユニット４を組み付ける際に、後述する矩形状の遊技盤３７を着脱自在に保持する枠状の保持枠３６の下部に設けられた２つのブラケット（突部）４５，４６がそれぞれ突き当てられ、保持枠３６の下端の浮き上がり及び落下を防止する。
【００１４】
組付け部５ａの左右両側の端部及び上端部には、保持枠３６の後面（遊技盤ユニットが組み付けられる面とは反対側となる面）と当接し、保持枠３６を位置決めする位置決め面として機能する当接面１７〜２２が設けられる。また、上端縁の当接面１９，２０には、前記保持枠３６に設けられた開口（係止部）５９，６０にそれぞれ係止される係止部材（可動部材）２５，２６が回動自在に設けられる。係止部材２５，２６の機能が同一であるため、以下では、係止部材２５に付いてのみ説明する。
【００１５】
図４及び図５に示すように、係止部材２５は、回動軸２８を支点に、交換ユニット４を交換自在とする第１位置と、保持枠３６を組み付け位置にて保持する第２位置との間（図４中Ａ方向、又は図５中Ｂ方向）で回動可能となっている。この係止部材２５は、固定用操作部２５ａと、この固定操作部２５ａと反対側となる面に設けられた突部２５ｂとを備えている。係止部材２５が第１位置にある場合には、前記係止部材２５に設けられた突部２５ｂが当接面１９に設けられた凹部２７によって第１位置に係止し、係止部材２５の回動が防止される（図８参照）。
【００１６】
また、交換ユニット４を組み付ける場合には、係止部材２５の固定用操作部２５ａを操作して、前記突部２５ｂと凹部２７とにおける係止を解除して、第２位置まで回動させるが、保持枠３６を組付け部５ａに組み付けて第２位置まで係止部材２５を回動させると、保持枠３６の当接面４９，５０は当接面１９，２０に押し当てられる。また、第２位置では、係止部材２５はその突部２５ｂが開口５９に係合することで係止されるが、更に突部２５ａの先端は、本体基部５の当接面１９に設けられた凹部３２に挿入される（図９参照）。
【００１７】
図６に示すように、面替えを行う際に交換が行われる交換ユニット４は、前面扉３５、保持枠（保持部材）３６及び遊技盤ユニット（遊技領域を有する部材）３７から構成され、この交換ユニット４は、据え置きユニット３を構成する本体基部５に設けられた組付け部５ａに着脱自在に組み付けられる。
【００１８】
前面扉３５は閉じ位置（図１参照）と、閉じ位置から所定の角度まで回動させた開き位置（図２参照）の間で回動する。なお、開き位置に前面扉３５がある時には、遊技領域４０が露呈される。この前面扉３５のほぼ中央には開口（窓部）３５ａを備えており、前面扉３５の後面に回動自在に設けられたガラス板４１により遮蔽される（図２参照）。これにより、前面扉３５が閉じ位置にある時には、遊技領域４０や遊技領域４０に設けられた構造物を、開口３５ａを遮蔽するガラス板４１を介して視認させるようになる。なお、開口３５ａを遮蔽する部材として、ガラス板４１の例を取り上げたが、これに限定する必要はなく、例えば透明なプラスチック等の透光性を有する部材によって上記開口を遮蔽してもよい。
【００１９】
図６又は図７に示すように、略中央部に矩形状の孔３６ａが設けられた一面３６ｂを覆うように立設した枠部３６ｃを有する保持枠３６の一側方には、前面扉３５が回動自在に、且つ着脱自在に軸支されて組み付けられる他に、遊技盤ユニット３７が枠部３６ｃの内部へと着脱自在に組み付けられる。この保持枠３６の一面３６ｂの後面、且つその下端縁部には、２つのブラケット４５，４６が保持枠３６の外方に対して略垂直に突出するように組み付けられている。なお、これらブラケット４５，４６は、交換ユニット４を据え置きユニット３に組み付けた際に、後述する本体基部５に設けられた組付け部５ａの下方に設けられた２つの被押圧面１５，１６にそれぞれ突き当てられる突き当て部となる。
【００２０】
また、この保持枠３６の後面に示す斜線部４７〜５１は、被押圧面１５，１６と、ブラケット４５，４６とを係合させて本体基部５に保持枠３６が組み付けられた際に、当接面１７〜２２へと当接する当接面である。なお、当接面４７は当接面１７に、当接面４８は当接面１８とそれぞれ当接する。同様にして、当接面４９は当接面１９と、当接面５０は当接面２０とそれぞれ当接する。また、当接面５１は、当接面２１，２２と当接する。これにより、保持枠３６を本体基部５に組み付けると、保持枠３６が組み付け位置に位置決めされる。
【００２１】
保持枠３６の上端縁部には、保持枠３６の周縁に連なって設けられた斜面５７、５８と、この斜面５７，５８近傍に設けられた開口（係止部）５９，６０、ストッパ６１，６２が設けられている。斜面５７，５８の機能、開口５９，６０の機能がそれぞれ同一であるので、以下では、斜面５７及び開口５８についてのみ説明する。図８又は図９の断面図に示すように、斜面５７は、係止部材２５を第１位置から第２位置へと移動させた際に、係止部材２５に設けられた突部２５ｂが摺接して移動させる面である。また、開口５９は、第２位置にある係止部材２５の突部２５ｂを係止させ、係止部材２５の回動を防止させるものである。ストッパ６１，６２は、係止部材２５，２６を第２位置以上回動するのを防止するものである。
【００２２】
図６に示すように、遊技盤ユニット３７は、遊技盤６５、及び遊技盤６５の裏面に取り付けられる支持体（図示せず）から構成されている。遊技盤の盤面中央には、遊技媒体を躍らせるステージを有するセンター役物６６が設けられる他に、遊技盤６５の裏面へと遊技球を取り込んで入賞とさせる通常入賞口６７、始動入賞口６８及びアタッカ６９等の構造物が設けられる。なお、これら構造物の外側を金属製のガイドレール７０によって区画された領域が遊技領域４０となる。また、図示は省略してあるが、遊技領域４０には複数の障害釘や風車等が適宜箇所に設けられている。なお、これら構造物は周知であるので、その記載については省略する。支持体は、遊技領域４０を流下した遊技球を所定の受け部へと誘導する誘導リブを有している。また、この支持体にはセンター役物６６の開口と一致するように、図柄表示装置７１が設けられる他に、遊技の際の各種制御を行う制御回路装置（制御用の回路基板を含む）等が組み付けられる。なお、この制御回路装置には、機種毎に異なる（遊技性に関わる）制御情報を記憶したＲＯＭ、このＲＯＭに記憶された制御情報に基づいてランプやスピーカ等の装置を作動制御するＣＰＵ、及びＣＰＵにて処理された情報を一時記憶するＲＡＭ等を有するものである。
【００２３】
次に、本実施形態の作用について説明する。遊技盤６５の盤面に通常入賞口、始動入賞口等の構造物の他に、レール７０を組み付ける。この遊技盤６５の盤面とは反対となる面に支持体を組み付け、例えば所定の入賞口への入賞に基づいて遊技を制御する制御回路装置を組み付け、遊技盤ユニット３７を組み立てる。この遊技盤ユニット３７を前面扉３５が回動自在に、且つ着脱自在に組み付けられた保持枠３６に着脱自在に組み付ける。これにより、交換ユニット４が完成する。なお、保持枠３６に遊技盤ユニット３７を組み付ける時には、保持枠３６の後面下部には、ブラケット４５，４６が組み付けられている。
【００２４】
このようにして組み立てられた交換ユニット４を、据え置きユニット３に組み付ける。図１０に示すように、交換ユニット４を傾斜させ、交換ユニット４の下部を本体基部５の組付け部５ａの下部に載せ、交換ユニット４の上方を据え置きユニット３を構成する本体基部５側に（図１０中Ｓ方向に）押す。これにより、交換ユニットが回動し、ブラケット４５，４６が被押圧面１５，１６とそれぞれが当接し、係合する（図１１参照）。また、図１２に示すように、保持枠３６の当接面４７が本体基部５の当接面１７に、当接面５１が当接面２１にそれぞれ当接する。同時に、当接面４８が当接面１８に、当接面４９が当接面１９に、当接面５０が当接面２０に、当接面５１が当接面２２にそれぞれ当接する。
【００２５】
図４及び図８に示すように、前面扉３５を開けて固定用操作部２５ａを操作して、係止部材２５を第１位置から第２位置へと（図４中Ａ方向に）回動させる。係止部材２５の回動によって、係止部材２５に設けられた突部２５ｂと当接面１９に設けられた凹部２７との係止が解除される。さらに係止部材２５を回動させると、係止部材の突部２５ｂが保持枠３６の斜面５７に乗り上げる。更に、係止部材２５を回動させると係止部材２５の突部２５ｂが開口５９及び凹部３２に係合し、係止部材２５が第２位置に係止される（図５及び図９参照）。同様にして、係止部材２６を回動させて、係止部材２６の第２位置への係止を行う。これにより、交換ユニット４が据え置きユニット３に組み付けられる。
【００２６】
なお、第２位置まで係止部材２５，２６を回動させると、保持枠３６の当接面４９，５０が当接面１９，２０に押し当てられて、交換ユニット４が適正な組み立て角度で保持できるようになる。また、ブラケット４５，４６が被押圧面１５，１６に押し当てられるから、交換ユニット４が据え置きユニット３に対して浮き上がることが防止される。また、本体基部５の当接面１７〜２２に、保持枠３６の当接面４７〜５１が当接した状態で仮保持されるので、保持枠３６が本体基部５に位置決めされた状態で係止部材２５，２６を回動させて保持させることができるようになる。また、交換ユニット４が重い場合でも、容易に交換ユニット４を据え置きユニット３に組み付けることができ、作業性を向上させることができる。
【００２７】
このパチンコ機における交換ユニットの交換を行う際には、前面扉３５を開け第２位置にある係止部材２５，２６をそれぞれ第１位置へと（図５中Ｂ方向に）回動させる。係止部材２５を第２位置から第１位置へと回動させると、係止部材２５の突部２５ｂと開口５８及び凹部３２による係合が解除され、第１位置にて、係止部材２５の突部２５ｂと凹部２７との係止が行われ、係止部材２７が第１位置にて保持される。同様にして、係止部材２６を回動させて、第１位置における係止部材の係止を行う。作業者は、前面扉３５を閉じて、交換ユニット４を図１０中Ｔ方向に回動させた後に、交換ユニット４を上方に引き上げる。これにより、ブラケット４５，４６と被押圧面１５，１６との係合が解除され、交換ユニット４が据え置きユニット３から取り外すことができる。その後、新しい遊技盤面や、構造物及び制御回路装置が設けられた遊技盤ユニット、又はこの遊技盤面に合わせた新しい前面扉の少なくともいずれかを有する構成からなる交換ユニットを据え置きユニット３に組み付ける。これにより、面替えを行って新しい機種とする場合に、新しい機種のイメージを一新することが可能となる。また、交換ユニットのみの交換とすることで、新しい機種への切り替えの際の費用及び作業者の負担を抑制することができる。
【００２８】
なお、本実施形態では、通常入賞口、始動入賞口及びアタッカ等の構造物が設けられ、それら構造物の外周を金属製のガイドレールで区画した遊技領域を有する遊技盤と、制御回路装置が封印可能な収納ケースを介して組み付けられた支持体とからなる遊技盤ユニットを保持枠に組み付けたが、これに限定する必要はなく、通常入賞口、始動入賞口及びアタッカ等の構造物が設けられ、それら構造物の外周を金属製のガイドレールで区画した遊技領域を有する遊技盤が組み付けても良いものとする。また、図１３に示すように、センター役物、通常入賞口、始動入賞口及びアタッカ等の構造物を備えた遊技盤１０１と、この遊技盤１０１の前面側に配置され、前記構造物の外周を区画するレールと、発射装置にて発射された遊技球を案内する案内通路とが一体に設けられた人工樹脂等からなるの遊技領域規制枠１０２と、制御回路装置が収納ケースに収納された状態で組み付けられ、その面とは異なる面に、遊技媒体を誘導する誘導リブが設けられた支持体１０３とからなる遊技盤ユニット１０４を保持枠に組み付けてもよいものとする。
【００２９】
本実施形態では、係合部として被押圧面の例を取り上げたが、これに限定する必要はなく、例えば、係合部を係合穴や切欠きから構成してもよい。係合部を係合穴とした場合には、保持部材を本体基部に組み付ける際に、保持部材に設けられた突部を上記係合穴に挿入させ、このブラケットと係合穴の側壁面とを当接させるようにする。これにより、本実施形態と同様に、保持部材の下部の浮き上がりや、保持部材の落下を防止することができる。
【００３０】
本実施形態では、保持枠にブラケットを設け、交換ユニットを据え置きユニットに組み付ける際に、本体基部に設けられた被押圧面に上記ブラケットを突き当てるようにしたが、これに限定する必要はなく、例えば、本体基部の組付け面の下部に突設片を、保持枠の底面に溝部を設け、交換ユニットを据え置きユニットに組み付ける際に、前記溝部に突設片を挿入させた状態で、交換ユニットを据え置きユニットに組み付けるようにすることも可能である。
【００３１】
本実施形態では、本体基部に設けられた係止部材と、保持枠の開口との係合によって交換ユニットを据え置きユニットに組み付けるようにしたが、これに限定する必要はなく、保持枠に係止片を有する係止部材を、本体基部に開口をそれぞれ設け、保持枠を本体基部に組み付ける際に、前記係止片を開口に挿通させた後に、この係止部材を回転又は回動させて、係止部材と開口との係合を行って、保持枠を本体基部に保持するようにすることも可能である。
【００３２】
【発明の効果】
以上のように、本発明の弾球遊技機によれば、遊技領域を有する部材を保持する保持部材を備えた交換部と、前記交換部が組み付けられる据え置き部とから構成し、前記据え置き部は、前記保持部材が組み付けられる組付け部を備え、前記組付け部は、前記保持部材と当接して、保持部材の位置決めを行う当接部を有し、前記組付け部の下部、又は保持部材の下部のいずれか一方に突部を、他方に前記突部と係合する係合部をそれぞれ設け、前記組付け部、又は保持部材のいずれか一方に可動部材を、他方に前記可動部材を係止する係止部をそれぞれ設けたので、交換部を据え置き部に対して組み付ける場合や、交換部を交換する所謂面替えの際の作業性を向上させることができる。また、交換部を据え置き部に組み付ける際に、組付け部に設けられた当接部によって保持部材が位置決めされるから、遊技盤面を所定の角度で保持することが可能となる。
【００３３】
また、前記可動部材及び係止部と、前記突部及び係合部とは、前記組み付け部の縁部、又は保持部材の縁部において対向する位置に配置されるから、可動部材を係止部によって係止させた場合に、保持部材を当接面に対して確実に位置決めできるとともに、前記突部が係合部に当接されるので、保持部材の下部が前記組付け部に対する浮き上がりを抑制して、可動部材を係止部において係止させることができる。
【図面の簡単な説明】
【図１】本発明を実施したパチンコ機の外観を示す斜視図である。
【図２】据え置きユニットと交換ユニットとを分解して示す斜視図である。
【図３】本体基部の組付け部を示す斜視図である。
【図４】係止部材が第１位置に位置した状態を示す正面図である。
【図５】係止部材が第２位置に位置した状態を示す正面図である。
【図６】交換ユニットを示す斜視図である。
【図７】保持枠の後面を示す斜視図である。
【図８】図４に示すｍ−ｍに沿って示す断面図である。
【図９】図５に示すｎ−ｎに沿って示す断面図である。
【図１０】交換ユニットを据え置きユニットに組み付ける際の側部正面図である。
【図１１】交換ユニットを据え置きユニットに組み付けた際の側部正面図である。
【図１２】交換ユニットを据え置きユニットに組み付けた場合の断面図である。
【図１３】遊技盤ユニットの構成の一例を示す斜視図である。
【図１４】従来の組み付け方法における交換ユニットと据え置きユニットとを示す断面図である。
【図１５】従来の組み付け方法により、交換ユニットを据え置きユニットに組み付けた状態を示す断面図である。
【符号の説明】
２  パチンコ機
３  据え置きユニット
４  交換ユニット
５  本体基部
５ａ  組付け部
１５，１６  被押圧面
１８〜２２  当接面
３６  保持枠
３７  遊技盤ユニット
４０  遊技領域
４５，４６  ブラケット
４７〜５１  当接面
５７，５８  斜面
５９，６０  開口
【図１】
2005027875.tif 000003
【図２】
2005027875.tif 000004
【図３】
2005027875.tif 000005
【図４】
2005027875.tif 000006
【図５】
2005027875.tif 000007
【図６】
2005027875.tif 000008
【図７】
2005027875.tif 000009
【図８】
2005027875.tif 000010
【図９】
2005027875.tif 000011
【図１０】
2005027875.tif 000012
【図１１】
2005027875.tif 000013
【図１２】
2005027875.tif 000014
【図１３】
2005027875.tif 000015
【図１４】
2005027875.tif 000016
【図１５】
2005027875.tif 000017